(57)【要約】【課題】  眼底検査に適した鮮明なカラー眼底画像を得ると共に、網膜機能の計測を精度よく行う。【解決手段】  被験者眼眼底を赤外光にて観察し、可視フラッシュ光を用いてカラー眼底画像を得る眼底カメラにおいて、単位時間あたりの光量が前記可視フラッシュ光よりも少ない光量にて被験者眼眼底を可視照明する眼底照明光学系と、前記眼底照明光学系によって照明された被験者眼眼底からの反射光を受光して眼底画像を得るための撮像素子を有する撮像光学系と、網膜機能計測用の可視眼底画像を取得する可視眼底画像取得手段と、同一被験者眼から取得された撮影時間の異なる第１の前記可視眼底画像と第２の前記可視眼底画像とを記憶する記憶手段と、前記第１可視眼底画像と第２可視眼底画像とを比較し演算処理して変化情報を取得する変化情報取得手段と、取得された変化情報を表示する表示手段と、を備える。【選択図】      図１
2008295971.tif 000002
【特許請求の範囲】
【請求項１】
被験者眼眼底を赤外光にて観察し、可視フラッシュ光を用いてカラー眼底画像を得る眼底カメラにおいて、
単位時間あたりの光量が前記可視フラッシュ光よりも少ない光量にて被験者眼眼底を可視照明する眼底照明光学系と、
前記眼底照明光学系によって照明された被験者眼眼底からの反射光を受光して眼底画像を得るための撮像素子を有する撮像光学系と、
前記眼底照明光学系及び前記撮像光学系を用いて網膜機能計測用の可視眼底画像を取得する可視眼底画像取得手段と、
該可視眼底画像取得手段によって同一被験者眼から取得された撮影時間の異なる第１の前記可視眼底画像と第２の前記可視眼底画像とを記憶する記憶手段と、
該記憶手段に記憶された前記第１可視眼底画像と第２可視眼底画像とを比較し演算処理して変化情報を取得する変化情報取得手段と、
該変化情報取得手段にて取得された変化情報を表示する表示手段と、
を備えることを特徴とする眼底カメラ。
【請求項２】
請求項１の眼底カメラは、
前記可視眼底画像取得手段による第１可視眼底画像取得と第２可視眼底画像取得との間に被検者の眼底に向けて刺激光を照射するための刺激光照射手段を備えることを特徴とする眼底カメラ。
【請求項３】
請求項２の眼底カメラにおいて、
前記刺激光照射手段は前記可視フラッシュ光を被験者眼眼底に向けて照射する手段であることを特徴とする眼底カメラ。
【請求項４】
請求項１〜３の眼底カメラのいずれかにおいて、
前記眼底照明光学系は、可視域から近赤外域までの光を発する照明光源と、赤外光のみを透過する赤外フィルタと可視光のみを透過する可視フィルタとを照明光路上に選択的に挿脱する挿脱手段を備えることを特徴とする眼底カメラ。
【請求項５】
請求項４の眼底カメラは、
通常の眼底画像を得るための眼底撮影モードと網膜機能を計測するための網膜機能計測モードとを切り換えるためのモード切換手段と、
前記挿脱手段を駆動制御する制御手段とを備え、
前記モード切換手段によって網膜機能計測モードが設定されたときは，前記制御手段は前記可視眼底画像取得手段による可視眼底画像取得時に前記眼底照明光学系の照明光路上に前記可視フィルタを挿入し，眼底観察時には赤外フィルタを挿入するように前記挿脱手段を駆動制御することを特徴とする眼底カメラ。
【請求項６】
請求項５の眼底カメラにおいて、
通常の眼底画像を取得する場合に対して，前記可視眼底画像取得手段によって前記撮像素子に眼底像を結像させるときの結像倍率を光学的に切り換える切換手段、もしくは通常の眼底画像を取得する場合に対して，前記可視眼底画像取得手段によって可視眼底画像を取得するときの撮像素子の感度を切り換える切換手段、のいずれかを備えることを特徴とする眼底カメラ。
【発明の詳細な説明】
【技術分野】
【０００１】
本発明は、被験者眼の眼底を撮影する眼底カメラに関する。
【背景技術】
【０００２】
従来より、被験者眼の眼底をフラッシュ照明しその反射光を撮像素子にて受光することにより被験者眼のカラー眼底画像を撮影する眼底カメラが知られており、撮影されたカラー眼底画像は表示モニタを介して検者によって観察される（特許文献１参照）。
【０００３】
また、近年、被験者眼の眼底を照明しその反射光を撮像素子にて受光する光学系と、網膜の機能応答を誘導する刺激光を照射する網膜刺激照明手段とを有し、前述の光学系を用いて刺激光照射前と照射後における赤外眼底画像を撮像素子にて取得し、取得された赤外眼底画像の反射率の変化から網膜の内因性信号を得ることにより網膜機能を計測しようとする網膜機能計測装置が提案されている（特許文献２参照）。
【特許文献１】特開２００５−１６０５５０号公報
【特許文献２】国際公開第２００５／０８４５２６号パンフレット
【発明の開示】
【発明が解決しようとする課題】
【０００４】
前述した眼底カメラ，網膜機能計測装置ともに被験者眼の眼底を撮影する装置であるため、効率化、省スペース化の観点からこれらの機能を一つにまとめた複合装置の提供が望まれる。また、このような複合装置を実現しようとする場合、眼底検査に適した高解像度で鮮明なカラー眼底画像の取得と、高精度での網膜機能の計測という２つの条件を満たす必要がある。
【０００５】
本発明は、上記従来技術を鑑み、眼底検査に適した鮮明なカラー眼底画像を得ることができると共に、網膜機能の計測を精度よく行うことができる網膜機能計測機能を有した眼底カメラを提供することを技術課題とする。
【課題を解決するための手段】
【０００６】
上記課題を解決するために、本発明は以下のような構成を備えることを特徴とする。
【０００７】
（１）  被験者眼眼底を赤外光にて観察し、可視フラッシュ光を用いてカラー眼底画像を得る眼底カメラにおいて、
単位時間あたりの光量が前記可視フラッシュ光よりも少ない光量にて被験者眼眼底を可視照明する眼底照明光学系と、
前記眼底照明光学系によって照明された被験者眼眼底からの反射光を受光して眼底画像を得るための撮像素子を有する撮像光学系と、
前記眼底照明光学系及び前記撮像光学系を用いて網膜機能計測用の可視眼底画像を取得する可視眼底画像取得手段と、
該可視眼底画像取得手段によって同一被験者眼から取得された撮影時間の異なる第１の前記可視眼底画像と第２の前記可視眼底画像とを記憶する記憶手段と、
該記憶手段に記憶された前記第１可視眼底画像と第２可視眼底画像とを比較し演算処理して変化情報を取得する変化情報取得手段と、
該変化情報取得手段にて取得された変化情報を表示する表示手段と、
を備えることを特徴とする。
（２）  （１）の眼底カメラは、
前記可視眼底画像取得手段による第１可視眼底画像取得と第２可視眼底画像取得との間に被検者の眼底に向けて刺激光を照射するための刺激光照射手段を備えることを特徴とする。
（３）  （２）の眼底カメラにおいて、
前記刺激光照射手段は前記可視フラッシュ光を被験者眼眼底に向けて照射する手段であることを特徴とする。
（４）  （１）〜（３）の眼底カメラのいずれかにおいて、
前記眼底照明光学系は、可視域から近赤外域までの光を発する照明光源と、赤外光のみを透過する赤外フィルタと可視光のみを透過する可視フィルタとを照明光路上に選択的に挿脱する挿脱手段を備えることを特徴とする。
（５）  （４）の眼底カメラは、
通常の眼底画像を得るための眼底撮影モードと網膜機能を計測するための網膜機能計測モードとを切り換えるためのモード切換手段と、
前記挿脱手段を駆動制御する制御手段とを備え、
前記モード切換手段によって網膜機能計測モードが設定されたときは，前記制御手段は前記可視眼底画像取得手段による可視眼底画像取得時に前記眼底照明光学系の照明光路上に前記可視フィルタを挿入し，眼底観察時には赤外フィルタを挿入するように前記挿脱手段を駆動制御することを特徴とする。
（６）  （５）の眼底カメラにおいて、
通常の眼底画像を取得する場合に対して，前記可視眼底画像取得手段によって前記撮像素子に眼底像を結像させるときの結像倍率を光学的に切り換える切換手段、もしくは通常の眼底画像を取得する場合に対して，前記可視眼底画像取得手段によって可視眼底画像を取得するときの撮像素子の感度を切り換える切換手段、のいずれかを備えることを特徴とする。
【発明の効果】
【０００８】
本発明によれば、眼底検査に適した鮮明なカラー眼底画像を得ることができると共に、網膜機能の計測を精度よく行うことができる。
【発明を実施するための最良の形態】
【０００９】
図１は、本実施形態に係る眼底カメラの光学系及び制御系の概略構成図である。光学系は、被験者眼眼底を照明する眼底照明光学系１０と、眼底照明光学系１０によって照明された眼底反射光を受光して眼底画像を得るための撮像素子を有する撮像光学系３０と、被験者眼を固視させるための固視灯呈示光学系７０に大別できる。上記光学系は、被験者眼眼底を赤外光にて観察し、可視フラッシュ光を用いて眼底画像を得るために用いられる共に、被験者眼の網膜機能計測に用いられる。
【００１０】
照明光学系１０は、観察照明光学系と撮影照明光学系を有し、ハロゲンランプやＬＥＤ等の観察用照明光源１１、波長７５０ｎｍ以上の近赤外光を透過する赤外フィルタ１２、コンデンサレンズ１３、フラッシュランプ等の撮影用光源１４、リレーレンズ１８、ミラー１９、リングスリット１７、リレーレンズ２１、孔あきミラー２２、対物レンズ２５を有する。
【００１１】
なお、前述の照明光学系１０は、網膜機能計測のために、被験者眼の眼底に可視刺激光を照射して網膜を刺激する刺激光照射光学系を兼用する。ここで、網膜機能計測を行う場合、例えば、観察光源１１が点灯された状態で、照明光学系１０の光路から赤外光のみを透過する赤外フィルタ１２が退避され、近赤外領域の波長をカットし可視領域の波長のみを透過する可視フィルタ９０が照明光学系１０の光路に挿入される。ここで、照明光学系１０は、赤外フィルタ１２と可視フィルタ９０とを照明光路上に選択的に挿脱する挿脱機構９５を持つ。なお、本実施形態において、可視フィルタ９０は、可視光の単色光（例えば、緑色付近（例：λ＝５６８ｎｍ付近））のみを透過する特性を持つ。
【００１２】
撮影光学系３０は、眼底観察光学系と眼底撮影光学系を有し、その光路には、対物レンズ２５から順に、穴あきミラー２２、被験者眼Ｅの瞳孔と略共役な位置に配置された撮影絞り３１、光軸方向に移動可能なフォーカシングレンズ３２（フォーカシングレンズ１０２）、結像レンズ３３（結像レンズ１０３）、眼底撮影時には挿脱機構３９により光路から挿脱可能な跳ね上げミラー３４、可視域に感度を有する眼底撮影用の二次元撮像素子３５、が配置されている。また、跳ね上げミラー３４の反射方向の光路には、赤外光反射・可視光透過の特性を有するダイクロイックミラー３７、撮像レンズ３６、赤外域に感度を有する観察用二次元撮像素子３８が配置されている。なお、フォーカシングレンズ３２は、モータを備える移動機構４９により光軸方向に移動される。
【００１３】
なお、本実施形態に係る眼底撮影光学系３０は、被験者眼のカラー眼底画像を得るための撮影光学系と、被験者眼の網膜機能計測用の可視眼底画像を得るための撮影光学系を有し、その用途に応じて撮影光学系を切換可能な構成となっている。より具体的には、通常のカラー眼底画像を取得する場合、図２（ａ）に示すように、撮像素子３５の撮像可能領域Ｃ１全体に大きく眼底像Ｇ１が撮像されるように、焦点距離が短いフォーカシングレンズ（コリメータレンズ）３２と焦点位置の長い結像レンズ３３との組み合わせからなる光学ユニット３０１が撮影光学系３０の光路に挿入される。
【００１４】
一方、計測用眼底画像を取得する場合、図２（ｂ）に示すように、撮像素子３５の撮像可能領域Ｃ１に対し小さい撮影範囲Ｃ２（例えば、１／５倍）に眼底像Ｇ１より小さい眼底像Ｇ２（例えば、１／５倍）が撮像されるように、物側焦点距離が長くフォーカシングレンズ（コリメータレンズ）１０２と像側焦点位置の短い結像レンズ１０３との組み合わせからなる光学ユニット３０２が撮影光学系３０の光路に挿入される。なお、３０５は、上記光学ユニット３０１及び３０２のいずれかを撮影光学系３０の光路に選択的に配置させるために駆動する切換駆動機構である。また、上記構成において、用途に応じて光学系の切換がなされても、被験者眼眼底の撮影範囲自体は同範囲となるように光学設計されているのが好ましい。
【００１５】
以下に、通常のカラー眼底画像を得る場合の光路について説明する。観察用光源１１を発した光束は、赤外フィルタ１２により赤外光束とされ、コンデンサレンズ１３、撮影光源１４の透光部、リレーレンズ１８を介してミラー１９で反射され、リングスリット１７を照明する。リングスリット１７を透過した光は、リレーレンズ２１を経て孔あきミラー２２で反射され、対物レンズ２５により被験者眼Ｅの瞳孔付近で一旦収束した後、拡散して被験者眼眼底部を照明する。
【００１６】
また、前述のようにして赤外照明された眼底からの反射光は、対物レンズ２５、孔あきミラー２２の開口部、撮影絞り３１、フォーカシングレンズ３２、結像レンズ３３、跳ね上げミラー３４、ダイクロイックミラー３７、撮像レンズ３６を介して撮像素子３８に結像する。なお、撮像素子３８の出力は制御部８０に入力され、モニタ８には、撮像素子３８によって撮像された被験者眼の赤外眼底観察像が表示される。
【００１７】
また、撮影光源１４から発せられた可視フラッシュ光は、撮影光源１４〜対物レンズ２５まで前述の観察用眼底照明光と同様の光路を経て、被験者眼の眼底を照明する。そして、可視光によって照明された眼底からの反射光は、対物レンズ２５、孔あきミラー２２の開口部、撮影絞り３１、フォーカシングレンズ３２、結像レンズ３３を経て、二次元撮像素子３５に結像する。なお、撮像素子３５の出力は制御部８０に入力され、後述するメモリ（記憶部）８５には、撮像素子３５によって得られたカラー眼底画像が記憶され、モニタ８にて観察可能となる。
【００１８】
固視灯呈示光学系７０は、赤色の光源７４、リレーレンズ７５を備え、ダイクロイックミラー３７を介して跳ね上げミラー３４から対物レンズ２５までの眼底観察光学系の光路を共用する。
【００１９】
固視灯として用いられる固視光源７４から発せられた可視光束は、リレーレンズ７５、ダイクロイックミラー３７、跳ね上げミラー３４〜対物レンズ２５を通過して被験者眼眼底に集光され、被検者によって固視される。
【００２０】
＜制御系＞  ８０は装置全体を制御したり各種演算処理を行う演算制御部（以下、制御部８０と省略する）である。演算制御部８０には、撮像素子３８、撮像素子３５、モニタ８、移動機構４９、挿脱機構３９、各種のスイッチを持つスイッチ部８４、メモリ８５、切換駆動機構３０５、挿脱機構９５、各光源等が接続されている。なお、スイッチ部８４には、眼底像のフォーカス調整を行うためのフォーカス調整スイッチ８４ａ、通常の眼底画像を得るための眼底画像撮影モードと網膜機能計測を行うための網膜機能計測モードとを切り換えるモード切換スイッチ８４ｂ等が配置されている。
【００２１】
また、メモリ８５には被験者眼の網膜機能を計測するための演算処理プログラムが格納されており、これに基づいて、制御部８０は、刺激光に対する網膜反応前後の眼底画像を比較して演算処理することにより網膜機能計測に用いられる変化情報を取得する。
【００２２】
なお、本実施形態の眼底カメラは、被験者眼に対して撮影光軸Ｌ１を３次元的に移動させる光学系移動機構、被験者眼に対してアライメントを行うための指標投影光学系、等を持つが、周知の構成であり、本発明とは関連が薄いため、説明を省略する。
【００２３】
上記のような構成を備える眼底カメラにおいて、通常のカラー眼底画像を取得する場合と、網膜機能計測用の可視眼底画像を取得する場合とに分けて説明する。
【００２４】
＜カラー眼底画像の取得＞  モード切換スイッチ８４ｂへの操作によって眼底画像撮影モードが設定された場合、制御部８０は、眼底観察を行うべく挿脱機構９５を駆動制御して、眼底照明光学１０の光路に赤外フィルタ１２を挿入させ、その光路から可視フィルタ９０を退避させる。また、切換駆動機構３０５の動作により、眼底撮影光学系３０の光路にカラー眼底撮影用の光学ユニット３０１を選択的に挿入する。次に、検者は、図示無きジョイスティックを用いて被験者眼に対して装置を移動させ、赤外光の眼底観察光によって被検者眼Ｅの眼底に照明光が照射され、所望する眼底画像がモニタ８に表示されるように、アライメントを行う。そして、コントロール部７４に設けられたフォーカス調整用スイッチ７４ａを用いて駆動機構４９を駆動させることにより、画像のフォーカス合わせを行う。そして、所望する位置の眼底像がモニタ８に表示された状態において、コントロール部７４に設けられた図示なき撮影ボタンを押す。
【００２５】
ここで、撮影ボタンが押されると、制御部８０は、跳ね上げミラー３４を撮影光学系３０の光路から退避させ、撮影光源１４をストロボ発光させる。これにより、被験者眼眼底が撮影光源１４によって照明され、可視照明された被験者眼眼底像が撮像素子３５の撮像面に受光される。この場合、図２（ａ）に示すように、撮像素子３５の撮像可能領域Ｃ１全体に大きく眼底像Ｇ１が撮像され、所定の結像倍率Ｓからなる被験者眼眼底像が撮像素子３５の撮像面に撮影された状態となる。そして、結像倍率Ｓにて取得されたカラー眼底画像は、メモリ８５に記憶されると共に、図３（ａ）に示すようにモニタ８に表示され、検者によって観察可能となる。ここで、結像倍率Ｓにて撮影されたカラー眼底画像は、撮像素子３５の撮像面全体を用いて得られた眼底画像であり、被験者眼眼底の所定の撮影範囲に対して使用される画素数が多くなるため、解像度の高い鮮明な被験者眼眼底画像を得ることができる。
【００２６】
＜網膜機能計測＞  一方、モード切換スイッチ８４ｂへの操作によって網膜機能計測モードが設定された場合、初期状態においては、上記カラー眼底撮影モード同様に、観察光源１１が点灯され、赤外フィルタ１２、光学ユニット３０１を用いて、被験者眼の赤外眼底像がモニタ８で観察可能な状態となる。なお、網膜機能の計測を行う場合、被験者眼を暗所にて暗順応させた状態で計測を行うのが好ましい。
【００２７】
ここで、所望する位置の眼底像がモニタ８に表示された状態において、前述の撮影ボタンが押されると、制御部８０は、機能計測用可視眼底画像を取得するべく、挿脱機構９５を駆動制御して、眼底照明光学１０の光路に可視フィルタ９０を挿入させ、その光路から赤外フィルタ１２を退避させる。また、切換駆動機構３０５を動作させて眼底撮影光学系３０の光路に網膜機能計測用の光学ユニット３０２を選択的に挿入させると共に、駆動機構３９を動作させて跳ね上げミラー３４を撮影光路から跳ね上げる。ここで、観察光源１１から発せられた光束は、可視フィルタ９０によって赤外光成分が取り除かれると共に、可視光成分（例えば、緑色成分のみ）が透過され、被験者眼眼底に対して可視光が照射される。
【００２８】
なお、本実施形態では、被験者眼網膜のフォトブリーチング反応を利用して網膜画像の明るさの変化を検出することによって被験者眼網膜の機能計測を行う。すなわち、被験者眼の眼底に可視刺激光（例えば、緑色光）が照射されると、被験者眼の網膜内に含まれているロドプシンと呼ばれる物質が刺激されて退色反応が生じる。そこで、前述のような網膜反応前後における眼底画像の明るさの変化を可視光にて読み取ることにより、この網膜内物質の活動の変化に起因する内因性の信号変化が得ることができる。よって、被検者眼の網膜機能を計測することができる。
【００２９】
なお、本実施形態において、可視フィルタ９０を介して被験者眼に照射される可視刺激光は、機能計測用の眼底画像を取得するための眼底照明光としても用いられる。すなわち、可視刺激光による被験者眼反射光は、対物レンズ２５、孔あきミラー２２の開口部、撮影絞り３１、フォーカシングレンズ１０２、結像レンズ１０３を介して撮像素子３５に結像する。これにより、観察光源１１及び可視フィルタ９０によって可視照明された被験者眼眼底像が撮像素子３５の撮像面に受光される。この場合、網膜機能計測に適した光量の可視光が被験者眼眼底に照射されるように、観察光源１１が発する照明光の光量を眼底観察時と計測用画像取得時とで変化させるようにしてもよい。
【００３０】
この場合、図２（ｂ）に示すように、撮像素子３５の撮像可能領域Ｃ１に対して小さい眼底像Ｇ２が撮像され、所定の結像倍率Ｓ２（Ｓ２＜Ｓ１）からなる被験者眼眼底像が撮像素子３５の撮像面に撮影された状態となる。
【００３１】
ここで、制御部８０は、撮像素子３５からの撮像信号に基づいて結像倍率Ｓ２からなる可視眼底画像を経時的に取得することにより機能計測用の可視眼底画像を取得する。より具体的には、制御部８０は、観察光源１１を連続点灯させ、撮像素子３５のフレームレートに応じて連続的に取得される眼底画像を機能計測用眼底画像として逐次メモリ８５に記憶させていく。また、観察光源１１をフリッカ状に点灯させ、光源１１点灯時に撮像素子３５から出力される眼底画像を計測用眼底画像として随時メモリ８５に記憶させるようにしてもよい。また、観察光源１１を１回点灯させたときに刺激前眼底画像を取得し、光源１１を消灯後所定時間経過後に、再度光源１１を点灯させたときに刺激後眼底画像を取得するようにしてもよい。すなわち、制御部８０は、前述のように同一被験者眼から取得された撮影時間（撮影タイミング）の異なる第１の可視眼底画像と第２の可視画像とをメモリ８５に記憶する。
【００３２】
なお、上記のように網膜刺激用光源及び計測用画像取得用光源として観察光源１１（例えば、ハロゲンランプ、ＬＥＤ等）を兼用したため、単位時間あたりの光量が撮影光源１４にて眼底画像を得るときの可視フラッシュ光よりも少ない光量にて、被験者眼眼底が可視照明される。このため、微弱な照射光によって被験者眼眼底を照明することができ、被験者眼網膜のブリーチング反応が急速に起こってしまうのを防止でき、網膜反応の連続的な変化を計測することができる。また、可視域から近赤外域までの光を発する光源（ハロゲンランプやＬＥＤ等）を照明光源として用い、可視フィルタ９０と赤外フィルタ１２を照明光学系の光路に選択的に挿脱させることにより、赤外眼底画像の取得と計測用可視眼底画像の取得とを効率よく行うことができる。なお、計測画像取得用の照明光学系として、照明光学系１０とは別に、計測画像取得用の緑光を被験者眼眼底に向けて照射する照明光学系を設けるようにしてもよい。
【００３３】
ここで、結像倍率Ｓ２にて撮影された眼底画像Ｇ２は、撮像素子３５の撮像面の小さい範囲Ｃ２を用いて得られた眼底画像であり、被験者眼眼底の所定の撮影範囲に対して使用される画素数は結像倍率Ｓ１の場合に比べて少なくなる。いいかえれば、光学ユニット３０１挿入時に対して光学ユニット３０２挿入時の方が眼底反射光に対して集光作用が働くため、一画素当たりの受光効率を上げることができる。このため、網膜刺激による被験者眼眼底の明るさの変化を高いＳ／Ｎ比で検出できる。したがって、網膜刺激による網膜の内因性信号の変化を精度よく検出することが可能となる。
【００３４】
上記のようにして計測用眼底画像の取得が完了したら、制御部８０は、演算処理による網膜機能計測に移行する。ここで、制御部８０は、メモリ８５に記憶された第１可視眼底画像と第２可視眼底画像とを比較し演算処理して変化情報を取得する。この場合、制御部８０は、メモリ８５に記憶された刺激光に対する網膜反応前後の眼底画像（網膜刺激前後の眼底画像）を用いて、網膜刺激による眼底画像の明るさの変化を各画素毎に求める。例えば、可視光による刺激開始時の眼底画像の明るさに対する刺激開始後所定時間経過後の眼底画像の明るさの変化を各画素毎に求める。明るさの変化は差分や比等求めることによって得られる。そして、制御部８０は、得られた明るさの変化情報を各画素に対応させて、図３（ｂ）に示すようにモニタ８に表示する。明るさの変化情報としては、濃淡や高低によって明るさの変化情報を画像として表示する方法や、差分や比の数値情報、この数値情報を網膜機能を評価するための所定の解析プログラムにより演算処理した情報等によって表すことができる。
【００３５】
以上示したように、上記のような構成によれば、眼底検査に適した鮮明なカラー眼底画像を得ることができると共に、網膜機能の計測を精度よく行うことが可能となる。
【００３６】
なお、以上の説明においては、撮影モードに応じてカラー撮影用光学ユニット３０１と計測用光学ユニット３０２を選択的に撮影光学系３０の光路に配置させることで、網膜機能計測の場合、通常の眼底画像を取得する場合に対して撮像素子３５に眼底像を結像させるときの結像倍率を光学的に切り換える（結像倍率を下げる）ような構成としたが、これに限るものではない。
【００３７】
例えば、光路切換が可能な跳ね上げミラーを撮影光学系３０に設け、結像倍率Ｓ１からなる被験者眼眼底像を撮像するための第１結像光学系及び第１撮像素子を持つ第１光学ユニットを跳ね上げミラーの背面側に配置し、結像倍率Ｓ１より倍率の小さい結像倍率Ｓ２からなる被験者眼眼底像を撮像するための第２結像光学系及び第２撮像素子を持つ第２光学ユニットを跳ね上げミラーの反射方向に配置するような構成が考えられる。この場合、この跳ね上げミラーが跳ね上げられるときに第１光学ユニットを用いてカラー眼底像を撮影し、跳ね上げミラーが光路内にあるときに第２光学ユニットを用いて計測用眼底像を撮影するような構成が考えられる。すなわち、網膜機能計測の場合、通常の眼底画像を取得する場合に対して、網膜画像計測用の撮像素子に眼底像を結像させるときの結像倍率を光学的に切り換える（結像倍率を下げる）ような構成であればよい。
【００３８】
また、以上の説明においては、眼底撮影用撮像素子に結像される結像倍率を光学的に切り換える構成としたが、網膜機能計測の際、通常の眼底画像を取得する場合に対して撮像素子３５の感度（ゲイン）を切り換える（感度を上げる）電気的な手段を用いるようにしてもよい。また、結像倍率の切換と感度の切換を併用させるようにしてもよい。
【００３９】
より具体的には、カラー眼底画像を取得する場合に撮像素子３５から出力される撮像信号のゲインを低く設定しておき、機能計測用の眼底画像を取得する場合に撮像素子３５から出力される撮像信号のゲインを高めに設定しておく。この場合、カラー眼底画像取得時においては、低いゲインで眼底像を得るため、撮像素子３５によるバックグラウンドノイズが少ない状態で撮像信号が得られる。よって、ざらつきの少ない鮮明な眼底画像を得ることができる。一方、機能計測用の眼底画像を取得する場合においては、高いゲインで眼底像を得るため、撮像素子３５の１画素あたりの受光効率を高めることができ、網膜の内因性信号の変化を高いＳ／Ｎ比にて得ることが可能である。
【００４０】
なお、上記ゲイン調整を行うような場合、眼底撮影用撮像素子としてイメージインテンシファイアやエレクトロマルチフライヤー等の比較的高い感度特性を持つ撮像素子を用いるようにしてもよい。なお、撮像ゲインを高くして計測用眼底画像を得る場合、バックグラウンドノイズが増える可能性が高いので、メディアンフィルタや平均化処理等のノイズ除去処理を行うのが好ましい。一方、撮像ゲインを低くして計測用眼底画像を得る場合、バックグラウンドノイズが少ないできるので、被験者眼眼底の生画像に近い眼底画像を得ることができる。この場合、通常の眼底撮影用の撮像素子と計測用眼底画像撮影用の撮像素子を別に設け、計測用眼底画像撮影用の撮像素子として高感度の撮像素子を設けるようにしてもよい。
【００４１】
また、上記手法に限るものではなく、第１可視眼底画像と第２可視眼底画像とを比較し演算処理して変化情報を取得する場合、各可視眼底画像として、撮影時間の異なる複数の眼底画像を加算させた加算画像を用いるようにしてもよい。例えば、刺激開始から第１の所定時間が経過する（例えば、０．５ｓ）までに取得された眼底画像同士を加算させた第１可視眼底画像と、第１の所定時間経過後からさらに第２の所定時間が経過する（０．５ｓ〜１．０ｓ）までに取得された眼底画像同士を加算させた第２可視眼底画像とを比較演算するようにしてもよい。
【００４２】
また、同じ被験者眼に対してカラー眼底像撮影と網膜機能計測とを同時期に行うような場合、初めに網膜機能計測を行い、後にカラー眼底像撮影を行う。これは、カラー眼底像撮影時にストロボ光源の発光によってブリーチング反応が生じてしまうのを防ぐためである。この場合、得られたカラー眼底像と網膜機能の計測結果とをモニタ８に並列表示させるようにしてもよい。
【００４３】
また、以上の説明においては、観察光源１１と可視フィルタ９０を用いて被験者眼網膜を可視刺激させるような構成としたが、撮影光源１４から発せられる可視フラッシュ光を用いて被験者眼網膜を刺激させるような構成としても良い。この場合、撮影光源１４から被験者眼眼底に照射される照射光量を調整することにより、カラー眼底像撮影時の照射光量に対して光量を下げるようにしてもよい。
【００４４】
また、制御部７０は、計測用眼底画像としての撮影時間（タイミング）の異なる第１可視眼底画像取得と第２可視眼底画像取得の間に、撮影光源１４による刺激光を被験者眼眼底に向けて照射するようにしてもよい。この場合、刺激光照射前後（刺激光照射開始時と，開始後所定時間経過後を含む）の眼底画像を取得する合間に被験者眼眼底に照射される刺激光を眼底照明光として用いることによりカラー眼底画像を取得するようにしてもよい。より具体的には、制御部８０は、所定の撮影ボタンからのトリガ信号が入力されたら、観察光源１１と可視フィルタ９０と光学ユニット３０２を用いて第１の計測用眼底画像を得ておき、その後撮影光源１４と光学ユニット３０１を用いて（可視フィルタ９０は光路から外す）カラー眼底像を得る。そして、撮影光源１１の発光によって刺激された被験者眼眼底に対して、観察光源１１と可視フィルタ９０と光学ユニット３０２を用いて第２の計測用眼底画像を得る。
【００４５】
このようにすれば、網膜機能計測のための網膜刺激とカラー眼底撮影を兼ねることができるため、検者の手間を省くことができると共に、可視光照射による被験者眼への負担を軽減させることができる。
【図面の簡単な説明】
【００４６】
【図１】本実施形態に係る眼底カメラの光学系及び制御系の概略構成図である。
【図２】撮像素子への結像倍率を変えたときの眼底像について説明する図である。
【図３】取得されたカラー眼底画像と網膜機能計測結果をモニタに表示させたときの図である。
【符号の説明】
【００４７】
８  表示モニタ
１０  眼底照明光学系
１１  観察光源
１２  赤外フィルタ
１４  撮影光源
３０  眼底撮影光学系
３５  撮像素子
８４ｂ  モード切換スイッチ
８５  記憶部
９０  可視フィルタ
９５  挿脱機構
３０１  光学ユニット
３０２  光学ユニット
３０５  切換駆動機構
【図１】
2008295971.tif 000003
【図２】
2008295971.tif 000004
【図３】
2008295971.tif 000005